(57)【特許請求の範囲】
【請求項１】
カメラを備える映像送信装置と、該カメラから送信された映像情報を受信して表示するモニタを備える映像受信装置と、該映像送信装置および該映像受信装置が接続されるネットワークとを有する映像配信システムにおいて、
前記カメラに対する切替指示を当該映像送信装置に送出すると共に、該切替指示に従った該カメラからの前記映像情報を修飾する文字情報を併せて送出し、前記モニタに該映像情報および該文字情報を表示せしめる映像情報修飾手段を具備し、該映像情報修飾手段は、前記切替指示および当該文字情報を共に前記ネットワークを介して当該映像送信装置に送出し、該映像送信装置にて抽出した前記文字情報と当該映像情報とを多重化して前記映像受信装置に送出することを特徴とする映像配信システム。
【請求項２】
カメラと、該カメラから送信された映像情報を受信して表示するモニタと、該カメラと該モニタの間を結ぶネットワークとを有する映像配信システムにおいて用いる映像送信装置であって、
前記カメラに対する切替指示を送出すると共に、該切替指示に従った該カメラからの前記映像情報を修飾する文字情報を併せて送出し、前記モニタに該映像情報および該文字情報を表示せしめる映像情報修飾手段からの該切替指示および該文字情報を受信し、これらから抽出された該文字情報を、前記カメラからの映像情報と合成して前記モニタ側へ出力する文字情報合成部を備えることを特徴とする映像送信装置。
【請求項３】
前記文字情報合成部は、合成された前記映像情報および前記文字情報をデータフレーム内に一体に収容して前記モニタ側へ出力する請求項２に記載の映像送信装置。
【請求項４】
前記データフレームは、ＭＰＥＧに準拠して形成されたデータフレームであって、該データフレーム内のｕｓｅｒ  ｄａｔａ領域に、前記映像情報および前記文字情報を収容する請求項３に記載の映像送信装置。
【請求項５】
前記データフレームは、ＭＰＥＧに準拠して形成されたデータフレームであって、該データフレーム内のプライベートデータ領域に、前記文字情報を収容する請求項３に記載の映像送信装置。
【請求項６】
カメラと、該カメラから送信された映像情報を受信して表示するモニタと、該カメラと該モニタの間を結ぶネットワークとを有する映像配信システムにおいて用いる映像送信装置であって、
前記カメラに対する切替指示を送出すると共に、該切替指示に従った該カメラからの前記映像情報を修飾する文字情報を併せて送出し、前記モニタに該映像情報および該文字情報を表示せしめる映像情報修飾手段からの該切替指示および該文字情報を受信し、これらから抽出された該文字情報を、前記カメラからの映像情報と多重化して前記モニタ側へ出力する映像／文字情報多重化部と、
切替え後の該映像情報と該文字情報とが一緒になるように同期をとりながら、該文字情報を前記文字／映像多重化部に入力する文字情報設定部と、を備えることを特徴とする映像送信装置。
【請求項７】
カメラと、該カメラから送信された映像情報を受信して表示するモニタと、該カメラと該モニタの間を結ぶネットワークとを有する映像配信システムにおいて用いる映像送信装置であって、
前記カメラに対する切替指示を送出すると共に、該切替指示に従った該カメラからの前記映像情報を修飾する文字情報を併せて送出し、前記モニタに該映像情報および該文字情報を表示せしめる映像情報修飾手段からの該切替指示および該文字情報を、それぞれ前記ネットワーク上の映像用のパスおよび切替制御用のパスを介して受信し、該切替制御用のパスから抽出された該文字情報を、前記カメラからの映像情報とは別個に、前記切替制御用のパスを通して前記モニタ側へ出力する文字情報送信部を備えることを特徴とする映像送信装置。
【請求項８】
前記映像情報修飾手段から受信した前記文字情報を、前記カメラ側に固有の文字情報に変更する文字情報変更部を備える請求項２に記載の映像送信装置。
【請求項９】
カメラと、該カメラから送信された映像情報を受信して表示するモニタと、該カメラと該モニタの間を結ぶネットワークとを有する映像配信システムにおいて用いる映像送信装置であって、
前記カメラに対する切替指示を送出すると共に、該切替指示に従った該カメラからの前記映像情報を修飾する文字情報を併せて送出し、前記モニタに該映像情報および該文字情報を表示せしめる映像情報修飾手段からの該切替指示および該文字情報を受信し、これらから抽出された該文字情報を、前記モニタにそのまま表示可能な信号形態で前記カメラからの映像情報と合成する表示合成部を備えることを特徴とする映像送信装置。
【請求項１０】
前記表示合成部は、スーパーインポーズジェネレータからなる請求項９に記載の映像送信装置。
【請求項１１】
前記カメラの動作状態を表す状態情報を前記モニタ側に通知するための状態情報通知部を有する請求項２に記載の映像送信装置。
【請求項１２】
前記状態情報通知部からの情報を、前記文字情報合成部に入力する請求項１１に記載の映像送信装置。
【請求項１３】
カメラと、該カメラから送信された映像情報を受信して表示するモニタと、該カメラに対する切替指示と該切替指示に従った該カメラからの前記映像情報を修飾する文字情報とを併せて送出する映像情報修飾手段と、該カメラと該モニタの間を結ぶネットワークとを有する映像配信システムにおいて用いる映像受信装置であって、
該映像受信装置は、前記カメラから送信された前記映像情報をアナログの映像情報に変換する復号化部と、
前記映像情報修飾手段からの前記文字情報をなすディジタルコードを受信し、これをアナログの文字情報に変換する文字情報変換部と、アナログの文字情報に変換する文字情報変換部と、
該文字情報変換部からの文字情報を、前記復号化部からの映像情報と合成して前記モニタへ出力する表示合成部とからなることを特徴とする映像受信装置。
【請求項１４】
前記表示合成部は、スーパーインポーズジェネレータからなる請求項１３に記載の映像受信装置。
【請求項１５】
カメラと、該カメラから送信された映像情報を受信して表示するモニタと、該カメラに対する切替指示と該切替指示に従った該カメラからの前記映像情報を修飾する文字情報とを併せて送出する映像情報修飾手段と、該カメラと該モニタの間を結ぶネットワークとを有する映像配信システムにおいて用いる映像受信装置であって、
前記映像情報修飾手段からの前記文字情報を、前記ネットワーク上の映像用のパスを介して受信する文字情報受信部と、
前記ネットワーク上の映像用のパスを介して受信した前記映像情報をアナログの映像情報に変換する復号化部と、
前記文字情報受信部からの前記文字情報と、前記復号化部からの映像情報とを合成して前記モニタへ出力する表示合成部とからなることを特徴とする映像受信装置。
【発明の詳細な説明】
【０００１】
【発明の属する技術分野】
本発明は、送信側に設けられた複数台のカメラと、受信側に設けられた少なくとも１台のモニタと、該カメラからの映像情報データをモニタに伝送するためのネットワークとを備えた映像配信システム、ならびに該映像配信システムに用いる映像送信装置および映像受信装置に関する。
【０００２】
例えば高速道路における多地点での交通事情の遠隔監視や、ダムとその貯水池周辺における多地点での環境の遠隔監視のために上述した映像配信システムが広く採用されるようになった。これには、専用光ファイバを用いた大容量データ伝送技術の発達が大きく寄与している。
【０００３】
【従来の技術】
上記の映像配信システムにおいて、例えば監視センタ内に設けられた映像受信装置の出力部である上記のモニタに映し出された、送信側のカメラ（ビデオカメラ）からの映像を見るとき、その映像情報と共に最も大事な情報は、今そのカメラがどの地点を撮影しているか、という地点名の情報である。上述したダムとその貯水池周辺を監視する例の場合においては、橋“Ａ”、道“Ｂ”、川“Ｃ”、谷“Ｄ”、山“Ｅ”等がその地点名の情報の具体例である。
【０００４】
このような地点名の情報の登録は、従来、カメラと協働する映像送信装置（現場）まで作業者が出向いて行っている。
また、一旦登録した地点名を後で変更しなければならなくなったとき、あるいは一旦登録したその地点名が誤りであることが分かりその訂正をしなければならなくなったときも、従来は、上記映像送信装置まで作業者が出向いて、その変更や訂正を行っている。
【０００５】
さらにまた、現場に設置されたカメラの動作状態の監視は、従来、監視センタ内に設けられた監視専用の端末を用いて行っている。
【０００６】
【発明が解決しようとする課題】
上述した従来の映像配信システムにおいては、上述した地点名情報の登録のための工数が大であり、地点の数が多くなる程、また各地点が遠方になればなる程、地点名の登録に要する作業工数が膨大になってしまう、という問題がある。
また、上述した地点名の変更や訂正の必要が生じた場合、やはりそのための作業時間が長くなってしまう、という問題がある。したがって、当該カメラからの映像を再び正常に監視できるまでの中断時間が長くなってしまう。
【０００７】
さらにまた、上述したカメラの動作状態の監視について見ると、当該監視専用の端末とモニタとが別々に設けられることから、両者の一体性がなく、したがってカメラ設置側（送信側）の点検が効率良く行えない、という問題もある。
したがって本発明は上記問題点に鑑み、地点名の登録あるいは変更や訂正が容易かつ短時間で行えると共に、カメラ側（送信側）の点検がセンタ側（受信側）で効率良く行える、映像配信システム、ならびに該映像配信システムに用いる映像送信装置および映像受信装置を提供することを目的とするものである。
【０００８】
【課題を解決するための手段】
図１は本発明に係る映像配信システムの原理構成を示す図である。
本図において、参照番号１０は映像配信システムを示す。この映像配信システム１０は、カメラ１１を備える映像送信装置１２と、カメラ１１から送信された映像情報を受信して表示するモニタ１５を備える映像受信装置１４と、映像送信装置１２および映像受信装置１４が接続されるネットワーク１３とを有する。
【０００９】
本発明の特徴は、このシステム１０内にさらに映像情報修飾手段１６を設けたことにある。この映像情報修飾手段１６は、カメラ１１に対する切替指示を当該映像送信装置１２に送出すると共に、この切替指示に従ったカメラ１１からの映像情報を修飾する文字情報を併せて送出し、モニタ１５にその映像情報および文字情報を表示せしめるものである。
【００１０】
ここにカメラ１１に対する切替指示とは、第１に、１つのカメラから他のカメラに切り替えること、第２に、あるカメラについてそのカメラアングルを変えて撮影場面を切り替えることを意味する。
また、映像情報を修飾する文字情報とは、既に例示した橋“Ａ”、道“Ｂ”、川“Ｃ”等の他、監視中の場面を撮影中のカメラの番号やそのカメラのカメラアングル（０度、９０度等）等の文字情報を意味する。
【００１１】
このように映像情報修飾手段１６を設けることにより、全てのカメラに対して共通に、１ヶ所（必要なら数ヶ所）から、文字情報の登録や変更ならびに訂正が行える。
【００１２】
【発明の実施の形態】
図２は本発明に基づく第１実施例を示す図である。なお全図を通じて同様の構成要素には同一の参照番号または記号を付して示す。
図２において、前述した映像情報修飾手段１６は、制御コンソール２１として示されている。この制御コンソール（映像情報修飾手段）２１は、前述した切替指示をネットワーク１３を介して当該映像送信装置１２に送出し、一方、文字情報は制御線２２を介して当該映像受信装置１４に送出する。かくして切替え後の映像情報と文字情報がモニタ１５に表示される。なお、受信側には複数の映像受信装置１４とモニタ１５の対を設けた構成例を示しているが、図１に示すように一対だけでもよい。
【００１３】
図３は図２における映像受信装置の一具体例を示す図である。本図の装置１４は、図１に示すカメラ１１と、カメラ１１から送信された映像情報を受信して表示するモニタ１５と、カメラ１１とモニタ１５の間を結ぶネットワーク１３とを有する映像配信システム１０、において用いる映像受信装置であり、復号化部２５と、文字情報変換部２６と、表示合成部２７とからなる。
【００１４】
復号化部２５は、カメラ１１から送信された映像情報をアナログの映像情報に変換する。
文字情報変換部２６は、カメラ１１に対する切替指示を送出すると共に、その切替指示に従ったカメラ１１からの映像情報を修飾する文字情報を併せて送出し、モニタにその映像情報および文字情報を表示せしめる制御コンソール（映像情報修飾手段）１６からの文字情報を受信し、この文字情報をなすディジタルコードを文字情報に変換する。
【００１５】
表示合成部２７は、文字情報変換部２６からの文字情報を、復号化部２５からの映像情報と合成してモニタ１５へ出力する。
図４は図２および図３に示す構成を別の表現形式で表す図である。まず図２に示す制御コンソール２１を具体的に示す。その内部の主要部はタイトル管理テーブルである。カメラNo. と、カメラアングルとで分類したテーブルであり、橋や川や山等の名前（タイトル）を予め記入してある。文字情報の登録や変更や訂正は全てここで行われる。
【００１６】
制御コンソール２１のオペレータが切替指示を入力すると、この切替指示は、制御用パッケージ（ＰＫＧ：ｐａｃｋａｇｅ）３４ならびにネットワーク１３（映像用のパス１３Ｉと切替制御用パス１３Ｓを含む）を介して、当該カメラ１１に伝送される。切替指示を受けたカメラ１１は撮影を開始し、映像情報を映像受信装置１４の映像受信部３１に送り始める。該受信部３１内には、図３の復号化部２５が含まれる。
【００１７】
これと同時に、上記の切替え後のタイトル等の文字情報が、制御線２２を介し、文字情報処理用パソコン（ＰＣ：ｐｅｒｓｏｎａｌ  ｃｏｍｐｕｔｅｒ）３３に入力される。該ＰＣ３３は、図３の文字情報変換部２６として機能する。
かくして受信した映像情報と文字情報は、スーパーインポーズジェネレータ（ＧＥＮ：ｇｅｎｅｒａｔｏｒ）３２に入力されて一体の合成データとなり、さらにモニタ１５に出力され表示される。ここに、ＧＥＮ３２は、図２の表示合成部１７をなすものである。なお、ＧＥＮ３２については後述する。
【００１８】
図５は本発明に基づく第２実施例を示す図である。上述した第１実施例との相違は、第２実施例における制御コンソール（映像情報修飾手段）２１は、切替指示および当該文字情報を共にネットワーク１３を介して当該映像送信装置１２に送出し、この映像送信装置１２にて抽出した文字情報と当該映像情報とを多重化して映像受信装置１４に送出する点にある。
【００１９】
第１実施例の場合と同様、ネットワーク１３上には複数の論理チャネルが形成されており、各映像受信装置１４は、それぞれに割り当てられた１つの論理チャネル（タイムスロット）を使用する。一方、各映像送信装置１２は、上記複数の論理チャネルを共有しており、所望の論理チャネルに自由に映像情報を配信することができる。ただしどの論理チャネルを用いるかについては、制御コンソール２１から指示される。
【００２０】
図６は図５における映像送信装置の一具体例を示す図である。本図の装置１２は、カメラ１１と、カメラ１１から送信された映像情報を受信して表示するモニタ１５と、カメラ１１とモニタ１５の間を結ぶネットワーク１３とを有する映像配信システム１０において用いる映像送信装置であり、この中で文字情報合成部４２に特徴がある。この合成部４２は、カメラ１１に対する切替指示と共に文字情報を併せて送出し、モニタ１５に映像情報および文字情報を表示せしめる制御コンソール（映像情報修飾手段）２１からの該切替指示および該文字情報を受信し、これらから抽出された該文字情報を、カメラ１１からの映像情報と合成してモニタ１５へ出力するものである。
【００２１】
符号化部４１は、カメラ１１からのアナログの映像情報をディジタルの映像情報に変換する。また、ネットワーク多重化部４３は、そのディジタルの映像情報と制御コンソール２１から送信されてきたディジタルの文字情報とを合成した合成部４２からの信号を、ネットワーク１３上の所定の論理チャネルに挿入する。
図７は図５における映像受信装置の一具体例を示す図である。本図の装置１４の主要部は、文字情報分離部４６である。なお、復号化部２５と表示合成部２７は、既に述べたとおりである。
【００２２】
カメラ１１に対する切替指示と共に文字情報を併せて送出し、モニタ１５に映像情報および文字情報を表示せしめる制御コンソール（映像情報修飾手段）２１からの文字情報は一旦カメラ１１側で受信される。文字情報分離部４６は、このカメラ１１側より映像情報と文字情報とを一体に受信した後、これらより文字情報を分離する。
【００２３】
復号化部２５は、受信した映像情報をアナログの映像情報に変換し、表示合成部２７にて文字情報分離部４６からの文字情報を、復号化部２５からの映像情報と合成して、モニタ１５側へ出力する。
なお、ネットワーク分離部４５は、ネットワーク１３上の複数の論理チャネルの中から、当該映像受信装置１４に割り当てられた論理チャネル内のデータを分離して取り出す。
【００２４】
図８は図５〜図７に示す構成を別の表現形式で表す図であり、第１実施例の場合の図４に対応する。
第１実施例（図４）の場合の制御線２２は用いず、全ての情報はネットワーク１３上でやりとりされる。また本図の映像受信部３１は、映像情報と文字情報の双方を出力しスーパーインポーズＧＥＮ３２に入力する。映像情報信号は、一般のテレビ用のＮＴＳＣ端子を経由して転送され、文字情報信号は一般のＲＳ２３２−Ｃ端子を経由して転送される。
【００２５】
図９はネットワーク１３に送出される信号のデータフォーマット（第１例）を示す図であり、
図１０はネットワーク１３に送出される信号のデータフォーマット（第２例）を示す図である。
上述した文字情報合成部４２（図６）は、合成された映像情報および文字情報を、図９および図１０に示すように、データフレームＤＦ内に一体に収容してモニタ１５側へ出力する。
【００２６】
図９の場合、データフレームＤＦは、ＭＰＥＧに準拠して形成されたデータフレームであって、このデータフレームＤＦ内のｕｓｅｒ  ｄａｔａ領域に、映像情報および文字情報を収容する。
また図１０の場合、データフレームＤＦは、ＭＰＥＧに準拠して形成されたデータフレームであって、このデータフレームＤＦ内のプライベートデータ領域に、文字情報を収容する。
【００２７】
ｕｓｅｒ  ｄａｔａ領域もプライベートデータ領域も共にユーザに開放されたデータ領域である。このように映像情報と文字情報とが同時に伝送されることから、モニタ１５上での映像情報の表示と文字情報の表示は同時に行われ、両者の表示が、タイミング的に、相互にずれることはあり得ない。したがってモニタ１５を見るオペレータに対し違和感を与えることがない。
【００２８】
ｕｓｅｒ  ｄａｔａは、ＭＰＥＧ−ＴＳ（図１０）の中に存在する。詳しくは、符号化されたＶｉｄｅｏデータの中に存在する。従って、文字情報はこのｕｓｅｒ  ｄａｔａに設定されることになる。この場合、文字情報をＭＰＥＧ２データに設定するタイミングや設定する箇所（処理部）の変更は要しない。
映像受信部において、ｕｓｅｒ  ｄａｔａから取り出した文字情報を、ＮＴＳＣ信号のＣＣＤ（Ｃｌｏｓｅｄ  Ｃａｐｔｉｏｎ  Ｄａｔａ）情報へ変換することにより、映像受信側で図１１の様な構成がとれる。この場合、図１３における表示合成部２７は、図１１における映像受信部３１の中に存在することになる。映像受信部３１から出力されるＮＴＳＣ信号のＣＣＤ情報に文字情報が設定されており、クローズドキャプション機能内蔵モニタに接続することにより自動的にオーバーレイされて表示される。なお、ｕｓｅｒ  ｄａｔａからＣＣＤ情報への変換は、米国ＡＴＶ方式により、完全同期できる機構になっている。そのクローズドキャプション機能内蔵モニタとしては、例えば、ＳＯＮＹ製モニタのＰＶＭ２０５４Ｔ，ＰＶＭ１４５４Ｔや日立製ビデオのＶＴ−Ｆ５１ＰＣ（９８．０００）がある。
【００２９】
図１１は図９のデータフレームを用いる場合の映像受信装置の構成を示す図である。スーパーインポーズＧＥＮはなく、映像受信部３１がモニタ１５に直結する。
次に本発明に基づく第３実施例について説明する。システムの全体図は図５に示す構成（第２実施例）と同じである。
【００３０】
この第３実施例は、前述した図１０に示すフォーマットのデータフレームＤＦを用いる場合に好適に利用される。
図９に示すフォーマットのデータフレームＤＦ（ｕｓｅｒ  ｄａｔａを利用）では、映像情報に対し文字情報が完全に１つにオーバレイされているが、図１０に示すフォーマットのデータフレームＤＦ（プライベートデータを利用）では、映像情報と文字情報の一体性が保証されていない。第３実施例はその一体性を保証したい場合に有効である。
【００３１】
図１２は第３実施例における映像送信装置の一具体例を示す図である。本図において、文字情報設定部５１と文字／映像多重化部５２が新たに導入された構成要素である。文字／映像多重化部５２は、文字情報設定部５１と共に、図１０に示すデータフォーマットのデータフレームＤＦを形成し、ネットワーク多重化部４３を介してネットワーク１３に送出する。ここに文字情報設定部５１は、切替え後の映像情報と一緒になるような同期をとりながら、文字情報のみを多重化部５２に入力する。
【００３２】
図１３は第３実施例における映像受信装置の一具体例を示す図である。本図において、文字／映像分離部５３が新たに導入された構成要素である。
文字／映像分離部５３は、上記プライベートデータ部分から、文字情報を分離する。この分離された文字情報は、復号化部２５でアナログ信号に変換された映像情報と共に、表示合成部２７に入力される。
【００３３】
図１４は本発明に基づく第４実施例を示す図である。この第４実施例の特徴は、映像送信装置１２と、対応する映像受信装置１４との間を、ネットワーク１３上の映像用のパス１３Ｉのみならず、切替制御用のパス１３Ｓによっても接続するようにしたものである。つまり、切替制御用のパス１３Ｓを利用することによって、映像情報と文字情報とを、合成したりあるいは多重化したりすることなく相互に別個独立に伝送するようにしたものである。
【００３４】
図１５は図１４の構成を別の表現形式で表す図である。映像受信部３１は、切替制御用のパス１３Ｓにも接続可能である。
図１６は第４実施例における映像送信装置の一具体例を示す図である。
本図の映像送信装置１２において、新たに導入されたのは文字情報送信部５５であり、ネットワーク１３上における切替制御用のパス１３Ｓから直接、文字情報を受信し、切替え後の映像情報と一緒になるような同期をとりながら、ネットワーク多重化部４３に入力し、さらに、該パス１３Ｓを通して、モニタ１５側へこれを送る。
【００３５】
図１７は第４実施例における映像受信装置の一具体例を示す図である。
本図の映像受信装置１２において新たに導入されたのは、文字情報受信部５６であり、ネットワーク１３上における切替制御用のパス１３Ｓから直接、文字情報を受信して、モニタ１５に表示させる。
復号化部２５は、映像用のパス１３Ｉを介して受信した映像情報をアナログの映像情報に変換する。表示合成部２７は、文字情報受信部５６からの文字情報と、復号化部２５からの映像情報とを合成してモニタ１５側へ出力する。
【００３６】
次に本発明に基づく第５実施例について説明する。
図１８は第５実施例における映像受信装置を示す図である。この第５実施例における映像受信装置１４の特徴は、文字情報変更部６１を導入した点にある。この場合、該変更部６１は文字情報変更テーブル６２を参照する。
この第５実施例の利点は２つある。
【００３７】
第１は、ネットワーク１３上の伝送容量に制限があり、データ量の多い文字情報をそのまま送ることができない場合である。このような場合には、制御コンソール２１から伝送される文字情報を、コードとして伝送するようにし、データ量を減らす。
文字情報をコードとして受信した映像受信装置１４は、文字情報変更部６１においてその受信したコードに対応する本来の文字情報に、テーブル６２を参照して変更し、表示合成部２７に入力する。
【００３８】
第２は、モニタ側で独自に定義した文字情報に簡単に変更できることである。制御コンソール２１から提供される文字情報は、各カメラが設置された現場でのローカルな呼び名で定義されている。しかしながら、モニタ１５側（センタ側）では、一般的に通用する呼び名で表示したいという要求がある。このような場合に第５実施例は都合がよい。
【００３９】
図１９は第５実施例を別の表現形式で表す図である。図４に示す構成に、文字情報変更処理用パソコン（ＰＣ）６３を付加したものに相当する。
ＰＣ６３の内部には、文字情報変更テーブル６２をなすメモリユニットが設けられる。
次に本発明に基づく第６実施例について説明する。
【００４０】
図２０は第６実施例における映像送信装置を示す図である。この第６実施例は、第５実施例で述べた文字情報変更部（６１）およびこれに協働する文字情報変更テーブル（６２）を、共にカメラ１１側に設けたものであり、図２０において参照番号６１および６２としてそれぞれ示す。
カメラ１１側で変更された文字情報は、（ディジタル）多重化部６７において、符号化部４１からの映像情報（ディジタル）と多重化され、ネットワーク１３側に送出される。
【００４１】
次に本発明に基づく第７実施例について説明する。
図２１は第７実施例における映像送信装置を示す図であり、
図２２は第７実施例における映像受信装置を示す図である。
この第７実施例の特徴は、表示合成部（図２１中、７１で示す）カメラ１１側に設けた点にある。したがって図２２の映像受信装置１４に示すとおり該装置１４から表示合成部は排除されている。表示合成部７１は、モニタ１５にそのまま表示可能な信号形態でカメラ１１からの映像情報と文字情報とを合成する。
【００４２】
通常、カメラ１１の台数に比べてモニタ１５の台数が少なく、モニタ１５側で表示合成部が故障すると、多数のカメラからの映像が全く受信できなくなってしまう。このようなことを考えると、表示合成部７１を各カメラ１１側に分散して設置することも可能である。
図２３は第７実施例を別の表現形式で表す図である。図２１の表示合成部７１は、スーパーインポーズジェネレータ（ＧＥＮ）によって構成されている。
【００４３】
最後に本発明に基づく第８実施例について説明する。
図２４は第８実施例における映像送信装置を示す図である。この第８実施例による映像送信装置１２は、状態情報通知部７５を設けたことを特徴とするものである。
状態情報通知部７５は、カメラ１１の動作状態を表す状態情報をモニタ１５側に通知する。この通知に当っては、既述の文字情報合成部４２を利用し、ここで映像情報に合成して送信することができる。
【００４４】
モニタ１５側では、タイトルを表す文字情報と共に、カメラの動作状態の異常を監視することができる。異常とは、例えば、カメラの回転異常、焦点合せ異常、その他の故障等である。
図２５は第８実施例を別の表現形式で表す図である。本図において、図２４の状態情報通知部７５は、状態情報通知処理用パソコン（ＰＣ）７６として示されている。
【００４５】
上述した各実施例においては、表示合成部２７（７１）が主要な構成要素の１つとなっている。そしてその具体例としてスーパーインポーズジェネレータ（ＧＥＮ）３２（７２）が用いられている。このＧＥＮ３２（７２）は、モニタ上において、映像情報の上に文字情報をスーパーインポーズ（重畳）する機能を果すものであり、具体的な商品としては、例えば“Ｋａｎｊｉ  Ｔｅｒｏｐ  Ｇｅｎｅｒａｔｏｒ”（ＫＴＧ−１６００）（株式会社朋栄製）がある。これはビデオ信号とキャラクタ信号とを入力とし、両者を合成してモニタに出力する。
【００４６】
以上述べた実施例において用いる回路構成の詳細例を以下に説明する。
図２６は図６に示す映像送信装置の詳細例を示す回路ブロック図である。本図において、図６の構成要素と対応する部分には同一の参照番号で示す。
制御部８１は、映像送信装置１２全体の制御を司るものであり、両方向矢印の制御バスＣＢを介して、セレクタ（ＳＥＬ）、Ａ／Ｄ変換器、符号化部４１等と接続する。
【００４７】
カメラ１１が複数台例えば３台あるとすると、各カメラ１１からの映像情報（アナログ）が、Ｖｉｄｅｏ１〜Ｖｉｄｅｏ３として入力され、所望の１つの映像情報が、セレクタ（ＳＥＬ）により選択され、Ａ／Ｄ変換器にてディジタルの映像情報となる。
該映像情報は、さらに、既に述べたように符号化部４１およびマルチプレクサからなる文字情報合成部４２で処理され、一旦バッファアメモリに格納された後、ネットワーク多重化部４３を介して、ネットワーク１３に送出される。なおネットワーク多重化部４３はネットワーク１３からの信号を処理する分離部（デマルチプレクサ）も含む。
【００４８】
図中のＰＬＬは、カメラ側のタイミング信号とタイミング生成部からの信号とを受けて、両者間の同期をとりつつ、所要のクロックをメモリ等に分配する。
図２７は図７に示す映像受信装置の詳細例を示す回路ブロック図である。図７に示す構成要素４５，４６，２５および２７が、本図に示されている。
【００４９】
ネットワーク分離部４５は、回線インタフェース、同期検出部およびデータ分離部よりなる。
文字情報分離部４６で分離された文字情報はそのまま表示合成部２７へ送出され、一方、映像情報は復号化部２５にて、アナログ信号に再生され、メモリで一旦保持して、Ａ／Ｄ変換器でディジタル化された後、表示合成部２７に入力される。
【００５０】
上記同期検出部にて同期異常が検出されると、制御部８１は、復号化部２５とメモリに対して、フリーズの指示を行う。このとき、セレクタＳＥＬは、ネットワーククロックであるＰＬＬの出力から内部クロックであるクロック再生部の出力へ選択を切り替える。
図２８は図１２に示す映像送信装置の詳細例を示す回路ブロック図である。本図の構成は、上述した図２６の構成とほぼ同じであり、図２６の文字情報合成部４２に代えて、図２８では文字／映像多重化部５２が設けられている。ネットワーク１３から、制御部８１で受信した文字情報は、該多重化部５２において、符号化部４１で符号化された映像情報と多重化される。このとき制御部８１は、切り替わった映像が、符号化部４１で符号化されるのと同期をとりながら、該多重化部５２に上記文字情報を渡す。
【００５１】
図２９は図１３に示す映像受信装置の詳細例を示す回路ブロック図である。図１３に示す構成要素４５，５３，２５および２７が、本図に示されている。この中で文字／映像分離部５３により、文字情報と映像情報とが分離される。その他の構成は、図２７に示す構成とほぼ同じである。
図３０は図１６に示す映像送信装置の詳細例を示す回路ブロック図である。本図の構成は、図２６の構成から文字情報合成部４２を削除し、文字情報送信部５５を挿入した構成とほぼ同じである。該送信部５５は、図３０において、多重化部への単なる折り返しパスとして示されている。このとき制御部８１は、文字情報を送信したことがモニタ１５側で分かるように、識別子を該文字情報に付ける。
【００５２】
また切替え後の映像が符号化部４１で符号化されるのと同期をとりながら上記の多重化部に折り返す。
図３１は図１７に示す映像受信装置の詳細例を示す回路ブロック図である。本図の構成は、図２７の構成から文字情報分離部４６を削除し、文字情報受信部５６を挿入した構成とほぼ同じである。また該受信部５６は、図３１において、表示合成部２７への単なるデータ転送パスとして示されている。
【００５３】
回線インタフェースから受信した文字情報のうち、カメラ１１側（送信側）から送られたもののみを、シリアルポートＰに出力する。その後、Ａ／Ｄ変換部でＡ／Ｄ変換された映像と、その文字情報とを表示合成部で合成する。したがって、カメラ切替えと同時に文字情報も切り替わることになる。
【００５４】
【発明の効果】
以上詳細に説明したように本発明によれば、撮影地点名等をカメラの設置された現場に出向くことなく、登録できまた変更、訂正できる。
またカメラの切替えがあったとき、その切替えによる映像の変化とほぼ同時に切替え後の撮影地点名等もモニタに表示でき、モニタを見るオペレータに違和感を与えない。
【００５５】
さらにまた、カメラ側で発生した異常発生情報までも、リアルタイムでモニタに表示することができる。
【図面の簡単な説明】
【図１】本発明に係る映像配信システムの原理構成を示す図である。
【図２】本発明に基づく第１実施例を示す図である。
【図３】図２における映像受信装置の一具体例を示す図である。
【図４】図２および図３に示す構成を別の表現形式で表す図である。
【図５】本発明に基づく第２実施例を示す図である。
【図６】図５における映像送信装置の一具体例を示す図である。
【図７】図５における映像受信装置の一具体例を示す図である。
【図８】図５〜図７に示す構成を別の表現形式で表す図である。
【図９】ネットワーク１３に送出される信号のデータフォーマット（第１例）を示す図である。
【図１０】ネットワーク１３に送出される信号のデータフォーマット（第２例）を示す図である。
【図１１】図９のデータフレームを用いる場合の映像受信装置の構成を示す図である。
【図１２】第３実施例における映像送信装置の一具体例を示す図である。
【図１３】第３実施例における映像受信装置の一具体例を示す図である。
【図１４】本発明に基づく第４実施例を示す図である。
【図１５】図１４の構成を別の表現形式で表す図である。
【図１６】第４実施例における映像送信装置の一具体例を示す図である。
【図１７】第４実施例における映像受信装置の一具体例を示す図である。
【図１８】第５実施例における映像受信装置の一具体例を示す図である。
【図１９】第５実施例を別の表現形式で表す図である。
【図２０】第６実施例における映像送信装置の一具体例を示す図である。
【図２１】第７実施例における映像送信装置の一具体例を示す図である。
【図２２】第７実施例における映像受信装置の一具体例を示す図である。
【図２３】第７実施例を別の表現形式で表す図である。
【図２４】第８実施例における映像送信装置の一具体例を示す図である。
【図２５】第８実施例を別の表現形式で表す図である。
【図２６】図６に示す映像送信装置の詳細例を示す回路ブロック図である。
【図２７】図７に示す映像受信装置の詳細例を示す回路ブロック図である。
【図２８】図１２に示す映像送信装置の詳細例を示す回路ブロック図である。
【図２９】図１３に示す映像受信装置の詳細例を示す回路ブロック図である。
【図３０】図１６に示す映像送信装置の詳細例を示す回路ブロック図である。
【図３１】図１７に示す映像受信装置の詳細例を示す回路ブロック図である。
【符号の説明】
１０…映像配信システム
１１…カメラ
１２…映像送信装置
１３…ネットワーク
１３Ｉ…映像用のパス
１３Ｓ…切替制御用のパス
１４…映像受信装置
１５…モニタ
１６…映像情報修飾手段
２１…制御コンソール
２２…制御線
２５…復号化部
２６…文字情報変換部
２７…表示合成部
３１…映像受信部
３２…スーパーインポーズジェネレータ（ＧＥＮ）
４１…符号化部
４２…文字情報合成部
４６…文字情報分離部
５１…文字情報設定部
５２…文字／映像多重化部
５３…文字／映像分離部
５５…文字情報送信部
５６…文字情報受信部
６１…文字情報変更部
６２…文字情報変更テーブル
６５…文字情報変更部
６６…文字情報変更テーブル
６７…多重化部
７１…表示合成部
７５…状態情報通知部
８１…制御部
【図１】
0004315512.tif 000002
【図２】
0004315512.tif 000003
【図３】
0004315512.tif 000004
【図４】
0004315512.tif 000005
【図５】
0004315512.tif 000006
【図６】
0004315512.tif 000007
【図７】
0004315512.tif 000008
【図８】
0004315512.tif 000009
【図９】
0004315512.tif 000010
【図１０】
0004315512.tif 000011
【図１１】
0004315512.tif 000012
【図１２】
0004315512.tif 000013
【図１３】
0004315512.tif 000014
【図１４】
0004315512.tif 000015
【図１５】
0004315512.tif 000016
【図１６】
0004315512.tif 000017
【図１７】
0004315512.tif 000018
【図１８】
0004315512.tif 000019
【図１９】
0004315512.tif 000020
【図２０】
0004315512.tif 000021
【図２１】
0004315512.tif 000022
【図２２】
0004315512.tif 000023
【図２３】
0004315512.tif 000024
【図２４】
0004315512.tif 000025
【図２５】
0004315512.tif 000026
【図２６】
0004315512.tif 000027
【図２７】
0004315512.tif 000028
【図２８】
0004315512.tif 000029
【図２９】
0004315512.tif 000030
【図３０】
0004315512.tif 000031
【図３１】
0004315512.tif 000032